(57)【要約】【課題】高強度を有し、曲線状に構築することが容易に行え、しかも、外観に優れたアーチ状構造物を提供する。【解決手段】波付け方向と直交する方向に弧状に折り曲げられた波形鋼板からなる側部壁１と頂部壁２を、アーチ状に接合することにより構築されるアーチ状構造物において、側部壁１の上端部には、段差絞り加工が施され、頂部壁２の端部は、側部壁１の上端部上に重ね合わされている。【選択図】図４
2019108760.tif 000002
【特許請求の範囲】
【請求項１】
波付け方向と直交する方向に弧状に折り曲げられた波形鋼板からなる複数枚の壁体を、アーチ状に接合することにより構築されるアーチ状構造物において、
一方の壁体の端部には、段差絞り加工が施され、前記一方の壁体に接合される他方の壁体の端部は、前記段差絞り加工が施された前記一方の壁体の端部上に重ね合わされ、かくして、前記壁体の一方の端部と前記壁体の他方の端部との接合部には、段差が形成されないことを特徴とするアーチ状構造物。
【請求項２】
前記壁体は、ボルト接合されていることを特徴とする、請求項１に記載のアーチ状構造物。
【請求項３】
前記波形鋼板は、大型デッキプレートからなることを特徴とする、請求項１または２に記載のアーチ状構造物。
【請求項４】
前記段差絞り加工が施された前記一方の壁体の端部の谷部の幅は、先広がりテーパー状に形成されていることを特徴とする、請求項１から３の何れか１つに記載のアーチ状構造物。
【請求項５】
前記壁体は、一対の側部壁と、前記側部壁間を連結する頂部壁とからなり、前記段差絞り加工は、前記側部壁の端部としての上端部に施され、前記側部壁の上端部上に前記頂部壁の端部が重ね合わされていることを特徴とする、請求項１から４の何れか１つに記載のアーチ状構造物。
【請求項６】
前記アーチ状構造物は、スノーシェルターであることを特徴とする、請求項１から５の何れか１つに記載のアーチ状構造物。
【請求項７】
前記アーチ状構造物は、骨組により補強されていることを特徴とする、請求項６に記載のアーチ状構造物。
【発明の詳細な説明】
【技術分野】
【０００１】
この発明は、アーチ状構造物、特に、波形鋼板により構築される、高強度を有し、曲線状に設置することが容易に行え、しかも、外観に優れたアーチ状構造物に関するものである。
【背景技術】
【０００２】
波形鋼板により構築されるアーチ状構造物の一例が特許文献１に開示されている。以下の、このアーチ状構造物を従来アーチ状構造物といい、図面を参照しながら説明する。
【０００３】
図１０は、従来アーチ状構造物を示す部分斜視図、図１１は、従来アーチ状構造物を示す部分正面図である。
【０００４】
図１０および図１１に示すように、従来アーチ状構造物は、それぞれ台座１２を介して基礎１３上に固定された一対の側部壁１１と、一対の側部壁１１間を連結する頂部壁１４とから構成されている。
【０００５】
側部壁１１と頂部壁１４とは、大型デッキプレートからなる波形鋼板を弧状に曲げ加工したものからなり、側部壁１１の端部上に頂部壁１４の端部を乗せ、これらをボルト１５により結合することによって、アーチ状構造物が構築されている。
【先行技術文献】
【特許文献】
【０００６】
【特許文献１】特開平８−１３５２２１号公報
【発明の概要】
【発明が解決しようとする課題】
【０００７】
上記従来アーチ状構造物は、高強度を有していることから、これを、例えば、豪雪地帯にスノーシェルターとして設置した場合、その機能を十分に発揮することができるが、さらなる優れた機能を備えたアーチ状構造物の開発が要望されている。
【０００８】
従って、この発明の目的は、高強度を有し、曲線状に設置することが容易に行え、しかも、外観に優れたアーチ状構造物を提供することにある。
【課題を解決するための手段】
【０００９】
この発明は、上記目的を達成するためになされたものであって、下記を特徴とする。
【００１０】
請求項１に記載の発明は、波付け方向と直交する方向に弧状に折り曲げられた波形鋼板からなる複数枚の壁体を、アーチ状に接合することにより構築されるアーチ状構造物において、一方の壁体の端部には、段差絞り加工が施され、前記一方の壁体に接合される他方の壁体の端部は、前記段差絞り加工が施された前記一方の壁体の端部上に重ね合わされ、かくして、前記壁体の一方の端部と前記壁体の他方の端部との接合部には、段差が形成されないことに特徴を有するものである。
【００１１】
請求項２に記載の発明は、請求項１に記載の発明において、前記壁体は、ボルト接合されていることに特徴を有するものである。
【００１２】
請求項３に記載の発明は、請求項１または２に記載の発明において、前記波形鋼板は、大型デッキプレートからなることに特徴を有するものである。
【００１３】
請求項４に記載の発明は、請求項１から３の何れか１つに記載の発明において、前記段差絞り加工が施された前記一方の壁体の端部の谷部の幅は、先広がりテーパー状に形成されていることに特徴を有するものである。
【００１４】
請求項５に記載の発明は、請求項１から４の何れか１つに記載の発明において、前記壁体は、一対の側部壁と、前記側部壁間を連結する頂部壁とからなり、前記段差絞り加工は、前記側部壁の端部としての上端部に施され、前記側部壁の上端部上に前記頂部壁の端部が重ね合わされていることに特徴を有するものである。
【００１５】
請求項６に記載の発明は、請求項１から５の何れか１つに記載の発明において、前記アーチ状構造物は、スノーシェルターであることに特徴を有するものである。
【００１６】
請求項７に記載の発明は、請求項６に記載の発明において、前記アーチ状構造物は、骨組により補強されていることに特徴を有するものである。
【発明の効果】
【００１７】
この発明によれば、波付け方向と直交する方向に弧状に折り曲げられた波形鋼板からなる複数枚の壁体を、アーチ状に接合することにより構築されるアーチ状構造物において、一方の壁体の端部に段差絞り加工を施し、一方の壁体に接合される他方の壁体の端部を、段差絞り加工が施された一方の壁体の端部上に重ね合わることによって、壁体の接合部に段差が形成されないので、外観が優れる。
【００１８】
また、この発明によれば、段差絞り加工が施された一方の壁体の端部の谷部の幅を、先広がりテーパー状に形成することによって、壁体の接合部の可動域が広がるので、アーチ状構造物を曲線状に構築することが容易に行える。
【００１９】
また、この発明によれば、壁体を、一対の側部壁と、側部壁間を連結する頂部壁とにより構成し、段差絞り加工を側部壁の上端部に施し、側部壁の上端部上に頂部壁の端部を重ね合わすことによって、側部壁と頂部壁との接合部からの雨水等の浸入を防止することができる。
【００２０】
また、この発明によれば、壁体を、一対の側部壁と、側部壁間を連結する頂部壁とにより構成し、段差絞り加工を側部壁の上端部に施し、側部壁の上端部上に頂部壁の端部を重ね合わすことによって、頂部壁の端部が、段差絞り加工を施すことによって形成された側部壁の段部に当接する結果、この段部が頂部壁のストッパーの作用をするので、アーチ状構造物に内側に向かって作用する力に対するアーチ状構造物の強度が上昇する。
【図面の簡単な説明】
【００２１】
【図１】この発明のアーチ状構造物を示す正面図である。
【図２】図１のＡ部拡大図である。
【図３】図１のＢ部拡大図である。
【図４】この発明のアーチ状構造物における壁体の接合部を示す部分斜視図である。
【図５】図１の部分拡大図である。
【図６】図５のＡ矢視図である。
【図７】この発明のアーチ状構造物における壁体の別の例を示す部分斜視図である。
【図８】図７の壁体を別の方向から見た部分斜視図である。
【図９】図７の壁体を使用した場合の壁体の接合部を示す部分斜視図である。
【図１０】従来アーチ状構造物を示す部分斜視図である。
【図１１】従来アーチ状構造物を示す部分正面図である。
【発明を実施するための形態】
【００２２】
この発明のアーチ状構造物の一実施態様を、図面を参照しながら説明する。
【００２３】
以下に説明する例は、この発明のアーチ状構造物をスノーシェルターに適用した場合であるが、これ以外の構造物であってもよいことは勿論である。
【００２４】
図１は、この発明のアーチ状構造物を示す正面図、図２は、図１のＡ部拡大図、図３は、図１のＢ部拡大図、図４は、この発明のアーチ状構造物における壁体の接合部を示す部分斜視図、図５は、図１の部分拡大図、図６は、図５のＡ矢視図である。
【００２５】
図１から図６において、１は、壁体としての一対の側部壁、２は、側部壁１間を連結する壁体としての頂部壁、３は、側部壁１と頂部壁２とを補強する骨組である。
【００２６】
側部壁１と頂部壁２とは、波付け方向と直交する方向に弧状に折り曲げられた大型デッキプレートからなる波形鋼板からなり、それぞれの波形寸法は、同一である。側部壁１と頂部壁２とは、ボルト４（図２、図３参照）によりアーチ状に接合されている。骨組３は、Ｈ形鋼等の形鋼からなり、基礎５上に台座６を介して固定されている。側部壁１と頂部壁２とは、形鋼等の取付け部材７によって骨組３の外側に取り付けられている。
【００２７】
側部壁１の上端部には、段差絞り加工が施され、これによって段部８が形成されている（図４参照）。頂部壁２の端部は、側部壁１の上端部上に重ね合わされ、頂部壁２の端部は、側部壁２の段差絞り加工が施されることによって形成された段部８に当接する。この結果、段部８が頂部壁２のストッパーの作用をするので、アーチ状構造物に内側に向かって作用する力に対するアーチ状構造物の強度が上昇する。
【００２８】
また、段差絞り加工を側部壁１の上端部に施し、側部壁１の上端部上に頂部壁２の端部を重ね合わすことによって、側部壁１と頂部壁２との接合部からの雨水等の浸入を防止することができる。
【００２９】
また、段差絞り加工を側部壁１の上端部に施し、側部壁１の上端部上に頂部壁２の端部を重ね合わすことによって、側部壁１と頂部壁２との接合部に段差が形成されないので、外観が優れる。
【００３０】
次に、この発明のアーチ状構造物における壁体の別の例について説明する。
【００３１】
図７は、この発明のアーチ状構造物における壁体の別の例を示す部分斜視図、図８は、図７の壁体を別の方向から見た部分斜視図、図９は、図７の壁体を使用した場合の壁体の接合部を示す部分斜視図である。
【００３２】
図７から図９に示すように、この別の壁体は、段差絞り加工が施された壁体の端部の谷部の幅を先広がりテーパー状に形成したものである。
【００３３】
この別の壁体を、上述したスノーシェルターに適用した場合で説明すると、側部壁１の端部の谷部の幅は、先広がりテーパー状に形成されている。すなわち、図８に示すように、側部壁１の谷部の幅をＢ１とすると、側部壁１の端部の谷部の幅Ｂ２は、テーパー状に広がっている。すなわち、Ｂ１＜Ｂ２になっている。これにより、図８に示すように、側部壁１の山部の幅をＴ１とすると、側部壁１の端部の山部の幅Ｔ２は、テーパー状に狭まっている。すなわち、Ｔ２＜Ｔ１になっている。
【００３４】
これによって、図９に示すように、側部壁１の上端部上に頂部壁２の端部を重ね合せた場合、図７に示すように、側部壁１と頂部壁２との接合部の可動域が広がるので、アーチ状構造物を曲線状に構築することが容易に行える。図７に、接合部の可動域をＬで示す。
【００３５】
以上の例では、一箇所の接合部の谷部および山部のボルト４の本数がそれぞれ２本になっているが、ボルト４の本数を１本にすることによって、接合部の可動域がより広くなる。
【００３６】
以上、説明したように、この発明によれば、波付け方向と直交する方向に弧状に折り曲げられた波形鋼板からなる側部壁１および頂部壁２を、アーチ状に接合することにより構築されるアーチ状構造物において、側部壁１の上端部に段差絞り加工を施し、頂部壁２の端部を、側部壁１の上端部上に重ね合わせることによって、側部壁１と頂部壁２との接合部に段差が形成されないので、外観が優れる。
【００３７】
また、この発明によれば、段差絞り加工が施された側部壁１の上端部の谷部の幅を、先広がりテーパー状に形成することによって、側部壁１と頂部壁２との接合部の可動域が広がるので、アーチ状構造物を曲線状に構築することが容易に行える。
【００３８】
また、この発明によれば、側部壁１の上端部に段差絞り加工を施し、頂部壁２の端部を、側部壁１の上端部上に重ね合わせることによって、側部壁１と頂部壁２との接合部からの雨水等の浸入を防止することができる。
【００３９】
また、この発明によれば、側部壁１の上端部に段差絞り加工を施し、頂部壁２の端部を、側部壁１の上端部上に重ね合わせることによって、頂部壁２の端部が側部壁１の段差絞り加工が施されることによって形成された段部８に当接する結果、この段部８が頂部壁２のストッパーの作用をするので、アーチ状構造物に内側に向かって作用する力に対するアーチ状構造物の強度が上昇する。
【符号の説明】
【００４０】
１：側部壁
２：頂部壁
３：骨組
４：ボルト
５：基礎
６：台座
７：取付け部材
８：段部
１１：側部壁
１２：台座
１３：基礎
１４：頂部壁
１５：ボルト
【図１】
2019108760.tif 000003
【図２】
2019108760.tif 000004
【図３】
2019108760.tif 000005
【図４】
2019108760.tif 000006
【図５】
2019108760.tif 000007
【図６】
2019108760.tif 000008
【図７】
2019108760.tif 000009
【図８】
2019108760.tif 000010
【図９】
2019108760.tif 000011
【図１０】
2019108760.tif 000012
【図１１】
2019108760.tif 000013